(57)【要約】      （修正有）【課題】自身でスカーフを結んだり解いたりする動作が難しくなった高齢者に対し、簡単に美しく装着脱できるワンタッチスカーフを、提供する。【解決手段】スカーフ１の長手方向両端部近く２に、マグネット３をそれぞれ結合させ、その双方を、磁力で連結させ、首にかけたスカーフ１がワンタッチで環状になり、また少しの力で引き外すこともでき、簡単に装着脱できる。スカーフ１の長手方向両端部近く２の一方のマグネット３の位置には、あらかじめリボン結び目部分４を形成させ、もう一方のマグネット３は、しぼり部分５に位置する。【選択図】図１
0003201393.tif 000002
【実用新案登録請求の範囲】
【請求項１】
スカーフの長手方向両端部近くに有した対極関係のマグネット留め具により、スカーフを環状に形成し、身体からずれ落ちることがなく、ワンタッチで着脱可能に連結されることを特徴とするマグネット留め具付ワンタッチスカーフ。
【請求項２】
前記のマグネット留め具は、ゴム付きのもの、クリップ付きのもの、アジャスター付きのもの、縫合用土台付きのもの、マジックテープ付きのもののいずれかひとつにより、前記スカーフを留めることを特徴とする請求項１記載のマグネット留め具付ワンタッチスカーフ。
【請求項３】
前記スカーフは、顎から胸元にかけて環状に形成できる長さを具え、かつ、そのスカーフの長手方向両端部近くの一方には、リボン結び目部分を形成していることを特徴とする請求項１または、請求項２記載のマグネット留め具付ワンタッチスカーフ。
【考案の詳細な説明】
【技術分野】
【０００１】  この考案は、頸部、胸部、頭部等を装飾するためのスカーフ等の衣料装身具の技術分野に属するものである。
【背景技術】
【０００２】  従来、身体からずれ落ちることなく、きわめて容易に身体に美しい形状保持状態で装着し得るスカーフを提供することが記載されている。（例えば特許文献１参照。）
【先行技術文献】
【特許文献】
【０００３】
【特許文献１】特開平０７−２９２５０９号公報
【考案の概要】
【考案が解決しようとする課題】
【０００４】  前記の公知例のものによっても、使用者が容易に装身できるものかとも考えられるが、運動機能や認知機能が衰えた高齢者の使用者を対象にした場合は、さらに改善が望ましい点が残されていた。【０００５】  即ち、この公知例では、身体に美しい形状保持状態で装着はできるものの、スカーフ本体の一部適当量を、環状の留め具の挿入口に引き込んだり抜いたりする装着脱方法であるため、その操作には時間と手先の技能を有し、運動機能や認知機能が衰えた高齢者において、必ずしも使い勝手がよいとは言えないものであった。【０００６】  この考案が解決しようとする第１の課題点は、前記の如き操作の不具合を未然防止し、尚且つ、簡単にワンタッチの操作で装着脱できるスカーフを提供することである。【０００７】  この考案が解決しようとする第２の課題点は、スカーフの布地の種類や用途の他、スカーフの使用者の操作レベルや好みに合わせた構成で商品化できるよう、多様な構造の留め具を設けるとともに、材料が安価で、構造が単純で、製造が容易な留め具を提供することである。【０００８】  この考案が解決しようとする第３の課題点は、都度リボン結び目部分を形成するという面倒な作業を行わないのに、外見では、あたかも美しくリボン結びをして、身体に装着しているように見えるスカーフを提供することである。
【課題を解決するための手段】
【０００９】  前記の各課題を解決するための対応手段は以下の如くである。【００１０】  スカーフの長手方向両端部近くに、マグネット留め具を取り付け、その双方の対極関係の磁力により、首にかけたスカーフが簡単にワンタッチで連結し環状に繋がり、また少しの力で引き外しもできるようにしたスカーフ。【００１１】  前記マグネット留め具は、マグネットにゴム、クリップ、アジャスター、縫合用土台、マジックテープのいずれかひとつを取り付けた構造であり、どの組み合わせも安価な材料で容易に製造できる。【００１２】  前記マグネット留め具を取り付けた一方の位置に、あらかじめリボン結び目部分を形成させた構成であるため、都度リボン結びの作業を行う必要がなく、外見には美しくリボン結びをしているように見える、ファッション性のあるスカーフ。【００１３】  以上の如き解決手段によれば、運動機能や認知機能が衰えた高齢者のスカーフの装着脱において、時間と手先の技能が極端に軽減でき、自身で簡単にワンタッチでスカーフを美しく装着脱できる。また構造が簡素なため安価に製造でき、年金収入のみの高齢者にも、比較的購入しやすい低価格帯で、操作性が向上したスカーフを提供することができる。
【考案の効果】
【００１４】  本考案のマグネット留め具付ワンタッチスカーフは、首にかけたスカーフの長手方向両端部近くの連結と取り外しが、マグネットにより簡単にワンタッチででき、スカーフを結んだり解いたりする装着脱の動作が無く、尚且つ、外見にはスカーフを美しく結んでいるように見えるという効果がある。【００１５】  この手軽で使い勝手の良いマグネット留め具付ワンタッチスカーフは、運動機能や認知機能の衰えた高齢者にとって、お洒落を楽しむ機会を増やさせることになる。また、スカーフの美しい装飾性から、スカーフ使用者のみならず、周りの人の心も明るくさせ、対人関係でのコミュニケーションの場面でも有効である。【００１６】  以上によって、このマグネット留め具付ワンタッチスカーフを高齢者が使用することは、その高齢者の脳への刺激が増す結果となり、認知症の予防と進行を遅らせる他、うつの対応策のひとつにもなり、今後の高齢化社会においての健康寿命の延長の手だてとしても期待できる優れた効果がある。
【図面の簡単な説明】
【００１７】
【図１】本考案の実施例の使用状態の正面図と使用形態の説明図
【図２】マグネット留め具がゴム付きのものの使用形態の説明図
【図３】マグネット留め具がクリップ付きのものの使用形態の説明図
【図４】マグネット留め具がアジャスター付きのものの使用形態の説明図
【図５】マグネット留め具が縫合用土台付きのものの使用形態の説明図
【図６】マグネット留め具がマジックテープ付きのものの使用形態の説明図
【考案を実施するための形態】
【００１８】  以下に、本考案の形態例を図面に基づいて説明する。
【００１９】  図１は、本考案の使用状態と使用形態の基本構成であり、スカーフ１と、マグネット３と、リボン結び目部分４と、しぼり部分５からなる。またスカーフ１の長手方向両端部近く２に結合した一対のマグネット３の磁力は、対極関係にある。そのマグネット３は、ゴム付きのもの、クリップ付きのもの、アジャスター付きのもの、縫合用土台付きのもの、マジックテープ付きのものがあり、そのいずれもマグネット留め具と称する。このマグネット留め具のいずれかひとつを、スカーフ１の布地や用途などに合わせて一対とする。
【００２０】  図１のあらかじめ形成させたリボン結び目部分４においては、使用中に解けることを防止するため、用途によって縫合する。
【００２１】  図１の本考案のマグネット留め具付ワンタッチスカーフのリボン結び目部分４の結び方においては、本考案の主旨に沿ったものであれば、かた結びなど、実施例の形状に限定されないことはいうまでもない。
【００２２】  図１のマグネット３の一対においては、その双方が永久磁石である他、一方は永久磁石で、もう一方は鉄などであってもよい。
【００２３】  図２は、マグネット留め具がゴム付きのものであり、輪状のゴム６に、接続部品７を介して、マグネット３を接着剤で接着させた留め具の一対と、その留め具の一方は、スカーフ１のリボン結び目部分４にゴム６の伸縮性を利用して結合され、もう一方は、しぼり部分５にゴム６の伸縮性を利用して結合する。
【００２４】  図３は、マグネット留め具がクリップ付きのものであり、クリップ８に、接着剤でマグネット３を接着させた留め具の一対と、その留め具の一方は、スカーフ１のリボン結び目部分４にクリップ８の挟み込み機能を利用して結合され、もう一方は、しぼり部分５にクリップ８の挟み込み機能を利用して結合する。
【００２５】  図４は、マグネット留め具がアジャスター付きのものであり、アジャスター９に、接着剤でマグネット３を接着させた留め具の一対と、その留め具の一方は、スカーフ１のリボン結び目部分４にアジャスター９の機能を利用して結合され、もう一方は、しぼり部分５にアジャスター９の機能を利用して結合する。
【００２６】  図５は、マグネット留め具が縫合用土台付きのものであり、縫合用土台１０に、接着剤でマグネット３を接着させた留め具の一対と、その留め具の一方は、スカーフ１のリボン結び目部分４に縫合し結合され、もう一方は、しぼり部分５に縫合し結合する。
【００２７】  図６は、マグネット留め具がマジックテープ付きのものであり、マジックテープ１１に、図５のマグネット３が接着された縫合用土台１０を縫合させた留め具の一対と、その留め具の一方は、スカーフ１のリボン結び目部分４にマジックテープ１１の機能を利用して結合され、もう一方は、しぼり部分５にマジックテープ１１の機能を利用して結合する。またこのマグネット留め具の製作方法は、マジックテープ１１に、図５のマグネット３が接着された縫合用土台１０を縫合する方法の他、マジックテープ１１に、直接、接着剤でマグネット３を接着する方法でもよい。
【００２８】  図２、図３、図４、図５、図６は、それぞれ同じ素材のもの同士で一対になっているマグネット留め具の形態例であるが、違う素材のマグネット留め具同士を組み合わせてもよい。
【産業上の利用可能性】
【００２９】  本考案のマグネット留め具付ワンタッチスカーフを、高齢者が使用することで認知機能の衰えを予防できることは、医療費や支援・介護費の自己負担の軽減や、公的財政の節約にも繋がる可能性がある。【００３０】  またスカーフが簡単にワンタッチで装着脱できるという扱いやすい利点により、装飾や防寒のためのみならず、首のＵＶ除けや、首や胸の湿疹及び手術跡を隠す医療的な使用、障害者への支援的な使用、また短時間での着替えが必要な制服やユニホームでの使用など、スカーフを必要としたり、愛好する年齢層や用途も幅広く見込まれる。【００３１】  したがって本考案は、新たなスカーフの使用者を増やすことが可能になり、スカーフ製造販売業界の活性化にも貢献でき、産業上の利用価値がある。
【符号の説明】
【００３２】１    スカーフ
２    長手方向両端部近く
３    マグネット
４    リボン結び目部分
５    しぼり部分
６    ゴム
７    接続部品
８    クリップ
９    アジャスター
１０  縫合用土台
１１  マジックテープ
【図１】
0003201393.tif 000003
【図２】
0003201393.tif 000004
【図３】
0003201393.tif 000005
【図４】
0003201393.tif 000006
【図５】
0003201393.tif 000007
【図６】
0003201393.tif 000008
【手続補正書】
【提出日】平成27年9月26日(2015.9.26)
【手続補正１】
【補正対象書類名】実用新案登録請求の範囲
【補正対象項目名】請求項２
【補正方法】変更
【補正の内容】
【請求項２】
前記のマグネット留め具は、ゴム付きのもの、クリップ付きのもの、アジャスター付きのもの、縫合用土台付きのもの、面ファスナー付きのもののいずれかひとつにより、前記スカーフを留めることを特徴とする請求項１記載のマグネット留め具付ワンタッチスカーフ。
【手続補正２】
【補正対象書類名】明細書
【補正対象項目名】全文
【補正方法】変更
【補正の内容】
【考案の詳細な説明】
【技術分野】
【０００１】  この考案は、頸部、胸部、頭部等を装飾するためのスカーフ等の衣料装身具の技術分野に属するものである。
【背景技術】
【０００２】  従来、身体からずれ落ちることなく、きわめて容易に身体に美しい形状保持状態で装着し得るスカーフを提供することが記載されている。（例えば特許文献１参照。）
【先行技術文献】
【特許文献】
【０００３】
【特許文献１】特開平０７−２９２５０９号公報
【考案の概要】
【考案が解決しようとする課題】
【０００４】  前記の公知例のものによっても、使用者が容易に装身できるものかとも考えられるが、運動機能や認知機能が衰えた高齢者の使用者を対象にした場合は、さらに改善が望ましい点が残されていた。【０００５】  即ち、この公知例では、身体に美しい形状保持状態で装着はできるものの、スカーフ本体の一部適当量を、環状の留め具の挿入口に引き込んだり抜いたりする装着脱方法であるため、その操作には時間と手先の技能を有し、運動機能や認知機能が衰えた高齢者において、必ずしも使い勝手がよいとは言えないものであった。【０００６】  この考案が解決しようとする第１の課題点は、前記の如き操作の不具合を未然防止し、尚且つ、簡単にワンタッチの操作で装着脱できるスカーフを提供することである。【０００７】  この考案が解決しようとする第２の課題点は、スカーフの布地の種類や用途の他、スカーフの使用者の操作レベルや好みに合わせた構成で商品化できるよう、多様な構造の留め具を設けるとともに、材料が安価で、構造が単純で、製造が容易な留め具を提供することである。【０００８】  この考案が解決しようとする第３の課題点は、都度リボン結び目部分を形成するという面倒な作業を行わないのに、外見では、あたかも美しくリボン結びをして、身体に装着しているように見えるスカーフを提供することである。
【課題を解決するための手段】
【０００９】  前記の各課題を解決するための対応手段は以下の如くである。【００１０】  スカーフの長手方向両端部近くに、マグネット留め具を取り付け、その双方の対極関係の磁力により、首にかけたスカーフが簡単にワンタッチで連結し環状に繋がり、また少しの力で引き外しもできるようにしたスカーフ。【００１１】  前記マグネット留め具は、マグネットにゴム、クリップ、アジャスター、縫合用土台、面ファスナーのいずれかひとつを取り付けた構造であり、どの組み合わせも安価な材料で容易に製造できる。【００１２】  前記マグネット留め具を取り付けた一方の位置に、あらかじめリボン結び目部分を形成させた構成であるため、都度リボン結びの作業を行う必要がなく、外見には美しくリボン結びをしているように見える、ファッション性のあるスカーフ。【００１３】  以上の如き解決手段によれば、運動機能や認知機能が衰えた高齢者のスカーフの装着脱において、時間と手先の技能が極端に軽減でき、自身で簡単にワンタッチでスカーフを美しく装着脱できる。また構造が簡素なため安価に製造でき、年金収入のみの高齢者にも、比較的購入しやすい低価格帯で、操作性が向上したスカーフを提供することができる。
【考案の効果】
【００１４】  本考案のマグネット留め具付ワンタッチスカーフは、首にかけたスカーフの長手方向両端部近くの連結と取り外しが、マグネットにより簡単にワンタッチででき、スカーフを結んだり解いたりする装着脱の動作が無く、尚且つ、外見にはスカーフを美しく結んでいるように見えるという効果がある。【００１５】  この手軽で使い勝手の良いマグネット留め具付ワンタッチスカーフは、運動機能や認知機能の衰えた高齢者にとって、お洒落を楽しむ機会を増やさせることになる。また、スカーフの美しい装飾性から、スカーフ使用者のみならず、周りの人の心も明るくさせ、対人関係でのコミュニケーションの場面でも有効である。【００１６】  以上によって、このマグネット留め具付ワンタッチスカーフを高齢者が使用することは、その高齢者の脳への刺激が増す結果となり、認知症の予防と進行を遅らせる他、うつの対応策のひとつにもなり、今後の高齢化社会においての健康寿命の延長の手だてとしても期待できる優れた効果がある。
【図面の簡単な説明】
【００１７】
【図１】本考案の実施例の使用状態の正面図と使用形態の説明図
【図２】マグネット留め具がゴム付きのものの使用形態の説明図
【図３】マグネット留め具がクリップ付きのものの使用形態の説明図
【図４】マグネット留め具がアジャスター付きのものの使用形態の説明図
【図５】マグネット留め具が縫合用土台付きのものの使用形態の説明図
【図６】マグネット留め具が面ファスナー付きのものの使用形態の説明図
【考案を実施するための形態】
【００１８】  以下に、本考案の形態例を図面に基づいて説明する。
【００１９】  図１は、本考案の使用状態と使用形態の基本構成であり、スカーフ１と、マグネット３と、リボン結び目部分４と、しぼり部分５からなる。またスカーフ１の長手方向両端部近く２に結合した一対のマグネット３の磁力は、対極関係にある。そのマグネット３は、ゴム付きのもの、クリップ付きのもの、アジャスター付きのもの、縫合用土台付きのもの、面ファスナー付きのものがあり、そのいずれもマグネット留め具と称する。このマグネット留め具のいずれかひとつを、スカーフ１の布地や用途などに合わせて一対とする。
【００２０】  図１のあらかじめ形成させたリボン結び目部分４においては、使用中に解けることを防止するため、用途によって縫合する。
【００２１】  図１の本考案のマグネット留め具付ワンタッチスカーフのリボン結び目部分４の結び方においては、本考案の主旨に沿ったものであれば、かた結びなど、実施例の形状に限定されないことはいうまでもない。
【００２２】  図１のマグネット３の一対においては、その双方が永久磁石である他、一方は永久磁石で、もう一方は鉄などであってもよい。
【００２３】  図２は、マグネット留め具がゴム付きのものであり、輪状のゴム６に、接続部品７を介して、マグネット３を接着剤で接着させた留め具の一対と、その留め具の一方は、スカーフ１のリボン結び目部分４にゴム６の伸縮性を利用して結合され、もう一方は、しぼり部分５にゴム６の伸縮性を利用して結合する。
【００２４】  図３は、マグネット留め具がクリップ付きのものであり、クリップ８に、接着剤でマグネット３を接着させた留め具の一対と、その留め具の一方は、スカーフ１のリボン結び目部分４にクリップ８の挟み込み機能を利用して結合され、もう一方は、しぼり部分５にクリップ８の挟み込み機能を利用して結合する。
【００２５】  図４は、マグネット留め具がアジャスター付きのものであり、アジャスター９に、接着剤でマグネット３を接着させた留め具の一対と、その留め具の一方は、スカーフ１のリボン結び目部分４にアジャスター９の機能を利用して結合され、もう一方は、しぼり部分５にアジャスター９の機能を利用して結合する。
【００２６】  図５は、マグネット留め具が縫合用土台付きのものであり、縫合用土台１０に、接着剤でマグネット３を接着させた留め具の一対と、その留め具の一方は、スカーフ１のリボン結び目部分４に縫合し結合され、もう一方は、しぼり部分５に縫合し結合する。
【００２７】  図６は、マグネット留め具が面ファスナー付きのものであり、面ファスナー１１に、図５のマグネット３が接着された縫合用土台１０を縫合させた留め具の一対と、その留め具の一方は、スカーフ１のリボン結び目部分４に面ファスナー１１の機能を利用して結合され、もう一方は、しぼり部分５に面ファスナー１１の機能を利用して結合する。またこのマグネット留め具の製作方法は、面ファスナー１１に、図５のマグネット３が接着された縫合用土台１０を縫合する方法の他、面ファスナー１１に、直接、接着剤でマグネット３を接着する方法でもよい。
【００２８】  図２、図３、図４、図５、図６は、それぞれ同じ素材のもの同士で一対になっているマグネット留め具の形態例であるが、違う素材のマグネット留め具同士を組み合わせてもよい。
【産業上の利用可能性】
【００２９】  本考案のマグネット留め具付ワンタッチスカーフを、高齢者が使用することで認知機能の衰えを予防できることは、医療費や支援・介護費の自己負担の軽減や、公的財政の節約にも繋がる可能性がある。【００３０】  またスカーフが簡単にワンタッチで装着脱できるという扱いやすい利点により、装飾や防寒のためのみならず、首のＵＶ除けや、首や胸の湿疹及び手術跡を隠す医療的な使用、障害者への支援的な使用、また短時間での着替えが必要な制服やユニホームでの使用など、スカーフを必要としたり、愛好する年齢層や用途も幅広く見込まれる。【００３１】  したがって本考案は、新たなスカーフの使用者を増やすことが可能になり、スカーフ製造販売業界の活性化にも貢献でき、産業上の利用価値がある。
【符号の説明】
【００３２】１    スカーフ
２    長手方向両端部近く
３    マグネット
４    リボン結び目部分
５    しぼり部分
６    ゴム
７    接続部品
８    クリップ
９    アジャスター
１０  縫合用土台
１１  面ファスナー